(57)【要約】【課題】  電源オフ処理中またはプリント中に、タイマーによる自動電源オンおよびオフが発生した場合、タイマーに従った処理が実行できないという課題があった。【解決手段】  電源オフ処理中にタイマーによる自動電源オンが発生すると判断した場合は、電源オフを実行せずに低消費電力状態で待機する。もしくはユーザに対し電源オフを実行するかどうか報知する。また、プリント中にタイマーによる自動電源オフが発生すると判断した場合、プリント終了後に低消費電力状態で待機する。もしくはユーザに対し、自動電源オフを実行するかどうか放置する。もしくは、プリント終了後に規定時間の間、ホストコンピュータから画像信号がない場合において電源オフを実行するよう制御する。以上の制御により、タイマーに従った自動電源オンオフ制御ができかったとしても、待機電力の削減およびユーザビリティーの向上を実現可能とする。【選択図】  図1
2012139978.tif 000002
【特許請求の範囲】
【請求項１】
ホストコンピュータからの画像信号を受信する受信部と、
前記受信部が受信した画像信号に基づき画像形成を行う画像形成手段と、
ユーザが画像形成装置本体のオフオン状態を切り替えるスイッチ手段と、
前記スイッチ手段の状態を検出するスイッチ状態検出手段と、
画像形成装置本体を電源オフ状態へと移行させる電源オフ処理と、
所定時間、待機状態が続くと、消費電力が待機状態より少ない低消費電力待機状態へ移行する機能と、
所定時間単位の計時が行える時計手段と、
ユーザにより設定された前記画像形成装置の起動時刻を記憶する起動時刻記憶手段と、
前記起動時刻記憶手段に格納された時刻と前記時計手段から読み出した時刻が合致した場合に前記画像形成装置をオン状態に移行させる自動電源オン手段とを備えた画像形成装置において、
前記スイッチ状態検出手段により、ユーザによる前記画像形成装置のオフ操作を検出した電源オフ時刻から、前記電源オフ処理が完了する電源オフ処理完了時刻を算出し、
前記電源オフ時刻から前記電源オフ処理完了時刻までの間に、前記起動時刻記憶手段に格納された時刻を経過する場合、
前記電源オフ処理を実行せず、前記低消費電力待機状態で待機させる制御を行うことを特徴とした画像形成装置。
【請求項２】
ユーザに前記画像形成装置本体が電源オン状態か電源オフ状態かを判別可能にする表示手段を備え、
前記電源オフ検知時刻から前記電源オフ処理終了時刻までの間に、前記起動時刻記憶手段に格納された時刻を経過する場合、前記表示手段の表示を電源オフ状態に制御することを特徴とする請求項１に記載の画像形成装置。
【請求項３】
ホストコンピュータからの画像信号を受信する受信部と、
前記受信部が受信した画像信号に基づき画像形成を行う画像形成手段と、
ユーザが画像形成装置本体のオフオン状態を切り替えるスイッチ手段と、
前記スイッチ手段の状態を検出するスイッチ状態検出手段と、
画像形成装置本体を電源オフ状態へと移行させる電源オフ処理と、
所定時間、待機状態が続くと、消費電力が待機状態より少ない低消費電力待機状態へ移行する機能と、
所定時間単位の計時が行える時計手段と、
ユーザにより設定された前記画像形成装置の起動時刻を記憶する起動時刻記憶手段と、
前記起動時刻記憶手段に格納された時刻と前記時計手段から読み出した時刻が合致した場合に前記画像形成装置をオン状態に移行させる自動電源オン手段とを備えた画像形成装置において、
前記スイッチ状態検出手段により、ユーザによる前記画像形成装置のオフ操作を検出した電源オフ時刻から、前記電源オフ処理が完了する電源オフ処理完了時刻を算出し、
前記電源オフ時刻から前記電源オフ処理完了時刻までの間に、前記起動時刻記憶手段に格納された時刻を経過する場合、
前記電源オフ処理を実行せず、ユーザに警告を報知することを特徴とした画像形成装置。
【請求項４】
ホストコンピュータからの画像信号を受信する受信部と、
前記受信部が受信した画像信号に基づき画像形成を行う画像形成手段と、
所定時間、待機状態が続くと、消費電力が待機状態より少ない低消費電力待機状態へ移行する機能と、
所定時間単位の計時が行える時計手段と、
ユーザにより設定された画像形成装置の停止時刻を記憶する停止時刻記憶手段と、
前記停止時刻記憶手段に格納された時刻と前記時計手段から読み出した時刻が合致した場合に前記画像形成装置をオフ状態に移行させる自動電源オフ手段とを有する画像形成装置において、
前記画像形成装置本体が画像形成を行っている時刻内に、前記停止時刻記憶手段に格納された時刻を経過する場合、前記画像形成装置本体が画像形成を終了させた後に、前記電源オフ処理を実行せず、前記低消費電力待機状態で待機することを特徴とした画像形成装置。
【請求項５】
ユーザに前記画像形成装置本体が電源オン状態か電源オフ状態かを判別可能にする表示手段を備え、
前記画像形成装置本体が画像形成を行っている時刻内に、前記停止時刻記憶手段に格納された時刻を経過する場合、前記画像形成装置本体が画像形成を終了させた後に、前記電源オフ処理を実行せず、前記表示手段の表示を電源オフ状態に制御することを特徴とする請求項4に記載の画像形成装置。
【請求項６】
ホストコンピュータからの画像信号を受信する受信部と、
前記受信部が受信した画像信号に基づき画像形成を行う画像形成手段と、
所定時間、待機状態が続くと、消費電力が待機状態より少ない低消費電力待機状態へ移行する機能と、
所定時間単位の計時が行える時計手段と、
ユーザにより設定された画像形成装置の停止時刻を記憶する停止時刻記憶手段と、
前記停止時刻記憶手段に格納された時刻と前記時計手段から読み出した時刻が合致した場合に前記画像形成装置をオフ状態に移行させる自動電源オフ手段とを有する画像形成装置において、
前記画像形成装置本体が画像形成を行っている時刻内に、前記停止時刻記憶手段に格納された時刻を経過する場合、前記画像形成装置本体が画像形成を終了させた後に、前記受信部が前記ホストコンピュータから規定した時間、画像信号を受信しなかった場合に、前記自動電源オフ手段を実行することを特徴とした画像形成装置。
【請求項７】
ホストコンピュータからの画像信号を受信する受信部と、
前記受信部が受信した画像信号に基づき画像形成を行う画像形成手段と、
所定時間、待機状態が続くと、消費電力が待機状態より少ない低消費電力待機状態へ移行する機能と、
所定時間単位の計時が行える時計手段と、
ユーザにより設定された画像形成装置の停止時刻を記憶する停止時刻記憶手段と、
前記停止時刻記憶手段に格納された時刻と前記時計手段から読み出した時刻が合致した場合に前記画像形成装置をオフ状態に移行させる自動電源オフ手段とを有する画像形成装置において、
前記画像形成装置本体が画像形成を行っている時刻内に、前記停止時刻記憶手段に格納された時刻を経過する場合、前記画像形成装置本体が画像形成を終了させた後に、前記電源オフ処理を実行せず、ユーザに警告を報知することを特徴とした画像形成装置。
【請求項８】
ホストコンピュータからの画像信号を受信する受信部と、
前記受信部が受信した画像信号に基づき画像形成を行う画像形成手段と、
画像形成装置本体の制御を行う主制御部と、
ユーザが画像形成装置本体のオフオン状態を切り替えるスイッチ手段と、
前記スイッチ手段の状態を検出するスイッチ状態検出手段と、
ユーザに前記画像形成装置本体が電源オン状態か電源オフ状態かを判別可能にする表示手段と、
画像形成装置本体を電源オフ状態へと移行させる電源オフ処理と、
前記画像形成装置本体をオンした場合、画像形成装置本体を待機状態へと移行させる電源オン処理と、
所定時間単位の計時が行える時計手段と、
ユーザにより設定された使用開始時刻を記憶する使用開始時刻記憶手段と
前記使用開始時刻には前記画像形成装置が前記待機状態になるよう、前記電源オン処理に必要となる時間を鑑みて、前記画像形成装置の起動開始時刻を算出し、
前記起動開始時刻と前記時計手段から読み出した時刻が合致した場合に前記画像形成装置をオン状態に移行させる自動電源オン手段とを備える画像形成装置において、
前記起動開始時刻から前記使用開始時刻の間に、前記スイッチ状態検出手段により電源オフを検知した場合、前記電源オフ処理を実行せず、ユーザに警告を報知することを特徴とした画像形成装置。
【発明の詳細な説明】
【技術分野】
【０００１】
本発明は複写機、プリンタ等の画像形成装置に関するものである。
【背景技術】
【０００２】
複写機やプリンタ等の画像形成装置においては装置の電源をオン状態にする時刻と、オフ状態にする時刻をそれぞれ曜日毎に設定しておくことによって、自動的に電源オンオフ制御を行うウィークリータイマー機能を備えているものがある。電源オン時刻およびオフ時刻は装置の管理者が装置の利用状況に応じて設定する。例えば朝の始業時刻にあらかじめタイマーオンの時刻を設定しておき、夕方の終業時刻にタイマーオフ時刻を設定しておくと、始業時に設定時刻になると自動的に画像形成装置をオンに、また、終業時の設定時刻になると自動オフすることから画像形成装置をオンおよびオフさせる手間が省けるとともに、例えば、終業時に画像形成装置をオフし忘れた場合については管理面でも優れていた。
【０００３】
上記の機能によって、装置を使用しない時間帯には電源が自動的にオフされるため無駄な電力消費がなくなり、装置を使用する時間帯になる前に電源が自動的にオンされるため無駄な待ち時間を削減し省電力と生産性の向上に寄与する機能である。
【０００４】
さらには特許文献１にはウィークリータイマーを使用した場合の制御としてユーザにより設定された自動電源オンのタイミングまでに画像形成装置の初期化処理を終了させる技術について記載されている。この制御により初期化処理時間を待つことなくユーザが設定した時刻には画像形成することを可能とし、待機時間の減少、ひいては印刷効率の向上を実現している。
【先行技術文献】
【特許文献】
【０００５】
【特許文献１】特開２００７−２０１６５号公報
【発明の概要】
【発明が解決しようとする課題】
【０００６】
近年の画像形成装置においては画像形成装置の終了時において定着ローラと加圧ローラの離間、メモリ内容をハードディスクに退避するなど多くの電源オフ処理を行う。つまり、近年の画像形成装置においてはユーザが電源スイッチをオフしてから実際に画像形成装置が電源オフ状態に入るまでの時間が長くなりつつある。そのため、電源オフ処理中にウィークリータイマーによる自動電源オンが実行されてしまう可能性が考えられ、その場合の画像形成装置の制御手法が課題となっている。
【０００７】
また、ウィークリータイマーによる自動電源オフがプリント中に発生する場合も考えられる。その場合、プリント終了直後にウィークリータイマーによる自動電源オフを実行すると、プリントを実行したユーザが引き続きプリントを実行する可能性があるにも係わらず、電源オフを実行することになる。つまり、プリント中に自動電源オフ時刻に到達した場合の画像形成装置の制御手法が課題となっている。
【０００８】
さらには特許文献１では、ユーザによる電源オフが、初期化開始タイミングから使用可能時刻の間に発生した場合の制御が課題として残る。つまり、初期化開始タイミングから使用可能タイミングの間にユーザにより電源オフを実行された場合、ユーザからの指示通り電源オフを実行すると、使用可能タイミングで使用可能状態が維持できなくなる可能性が考えられ課題となっている。
【０００９】
本発明においては上記課題を鑑みてなされたものであり、特にウィークリータイマーによる電源オフや電源オンが、設定時刻に実行できない場合における画像形成装置の制御を提供するものである。
【課題を解決するための手段】
【００１０】
上記目的を達成するため、
本出願に関わる第1の発明は、ホストコンピュータからの画像信号を受信する受信部と、前記受信部が受信した画像信号に基づき画像形成を行う画像形成手段と、ユーザが画像形成装置本体のオフオン状態を切り替えるスイッチ手段と、前記スイッチ手段の状態を検出するスイッチ状態検出手段と、画像形成装置本体を電源オフ状態へと移行させる電源オフ処理と、所定時間、待機状態が続くと、消費電力が待機状態より少ない低消費電力待機状態へ移行する機能と、所定時間単位の計時が行える時計手段と、ユーザにより設定された前記画像形成装置の起動時刻を記憶する起動時刻記憶手段と、前記起動時刻記憶手段に格納された時刻と前記時計手段から読み出した時刻が合致した場合に前記画像形成装置をオン状態に移行させる自動電源オン手段とを備えた画像形成装置において、前記スイッチ状態検出手段により、ユーザによる前記画像形成装置のオフ操作を検出した電源オフ時刻から、前記電源オフ処理が完了する電源オフ処理完了時刻を算出し、前記電源オフ時刻から前記電源オフ処理完了時刻までの間に、前記起動時刻記憶手段に格納された時刻を経過する場合、前記電源オフ処理を実行せず、前記低消費電力待機状態で待機させる制御を行うことを特徴とする。
【００１１】
本出願に関わる第２の発明は、請求項１記載の画像形成装置において、ユーザに前記画像形成装置本体が電源オン状態か電源オフ状態かを判別可能にする表示手段を備え、前記電源オフ検知時刻から前記電源オフ処理終了時刻までの間に、前記起動時刻記憶手段に格納された時刻を経過する場合、前記表示手段の表示を電源オフ状態に制御することを特徴とする。
【００１２】
本出願に関わる第3の発明は、ホストコンピュータからの画像信号を受信する受信部と、前記受信部が受信した画像信号に基づき画像形成を行う画像形成手段と、ユーザが画像形成装置本体のオフオン状態を切り替えるスイッチ手段と、前記スイッチ手段の状態を検出するスイッチ状態検出手段と、画像形成装置本体を電源オフ状態へと移行させる電源オフ処理と、所定時間、待機状態が続くと、消費電力が待機状態より少ない低消費電力待機状態へ移行する機能と、所定時間単位の計時が行える時計手段と、ユーザにより設定された前記画像形成装置の起動時刻を記憶する起動時刻記憶手段と、前記起動時刻記憶手段に格納された時刻と前記時計手段から読み出した時刻が合致した場合に前記画像形成装置をオン状態に移行させる自動電源オン手段とを備えた画像形成装置において、前記スイッチ状態検出手段により、ユーザによる前記画像形成装置のオフ操作を検出した電源オフ時刻から、前記電源オフ処理が完了する電源オフ処理完了時刻を算出し、前記電源オフ時刻から前記電源オフ処理完了時刻までの間に、前記起動時刻記憶手段に格納された時刻を経過する場合、前記電源オフ処理を実行せず、ユーザに警告を報知することを特徴とする。
【００１３】
本出願に関わる第4の発明は、ホストコンピュータからの画像信号を受信する受信部と、前記受信部が受信した画像信号に基づき画像形成を行う画像形成手段と、所定時間、待機状態が続くと、消費電力が待機状態より少ない低消費電力待機状態へ移行する機能と、所定時間単位の計時が行える時計手段と、ユーザにより設定された画像形成装置の停止時刻を記憶する停止時刻記憶手段と、前記停止時刻記憶手段に格納された時刻と前記時計手段から読み出した時刻が合致した場合に前記画像形成装置をオフ状態に移行させる自動電源オフ手段とを有する画像形成装置において、前記画像形成装置本体が画像形成を行っている時刻内に、前記停止時刻記憶手段に格納された時刻を経過する場合、前記画像形成装置本体が画像形成を終了させた後に、前記電源オフ処理を実行せず、前記低消費電力待機状態で待機することを特徴とする。
【００１４】
本出願に関わる第5の発明は、請求項4記載の画像形成装置において、ユーザに前記画像形成装置本体が電源オン状態か電源オフ状態かを判別可能にする表示手段を備え、前記画像形成装置本体が画像形成を行っている時刻内に、前記停止時刻記憶手段に格納された時刻を経過する場合、前記画像形成装置本体が画像形成を終了させた後に、前記電源オフ処理を実行せず、前記表示手段の表示を電源オフ状態に制御することを特徴とする。
【００１５】
本出願に関わる第6の発明は、ホストコンピュータからの画像信号を受信する受信部と、前記受信部が受信した画像信号に基づき画像形成を行う画像形成手段と、所定時間、待機状態が続くと、消費電力が待機状態より少ない低消費電力待機状態へ移行する機能と、所定時間単位の計時が行える時計手段と、ユーザにより設定された画像形成装置の停止時刻を記憶する停止時刻記憶手段と、前記停止時刻記憶手段に格納された時刻と前記時計手段から読み出した時刻が合致した場合に前記画像形成装置をオフ状態に移行させる自動電源オフ手段とを有する画像形成装置において、前記画像形成装置本体が画像形成を行っている時刻内に、前記停止時刻記憶手段に格納された時刻を経過する場合、前記画像形成装置本体が画像形成を終了させた後に、前記受信部が前記ホストコンピュータから規定した時間、画像信号を受信しなかった場合に、前記自動電源オフ手段を実行することを特徴とする。
【００１６】
本出願に関わる第7の発明は、ホストコンピュータからの画像信号を受信する受信部と、前記受信部が受信した画像信号に基づき画像形成を行う画像形成手段と、所定時間、待機状態が続くと、消費電力が待機状態より少ない低消費電力待機状態へ移行する機能と、所定時間単位の計時が行える時計手段と、ユーザにより設定された画像形成装置の停止時刻を記憶する停止時刻記憶手段と、前記停止時刻記憶手段に格納された時刻と前記時計手段から読み出した時刻が合致した場合に前記画像形成装置をオフ状態に移行させる自動電源オフ手段とを有する画像形成装置において、前記画像形成装置本体が画像形成を行っている時刻内に、前記停止時刻記憶手段に格納された時刻を経過する場合、前記画像形成装置本体が画像形成を終了させた後に、前記電源オフ処理を実行せず、ユーザに警告を報知することを特徴とする。
【００１７】
本出願に関わる第8の発明は、ホストコンピュータからの画像信号を受信する受信部と、前記受信部が受信した画像信号に基づき画像形成を行う画像形成手段と、画像形成装置本体の制御を行う主制御部と、ユーザが画像形成装置本体のオフオン状態を切り替えるスイッチ手段と、前記スイッチ手段の状態を検出するスイッチ状態検出手段と、ユーザに前記画像形成装置本体が電源オン状態か電源オフ状態かを判別可能にする表示手段と、画像形成装置本体を電源オフ状態へと移行させる電源オフ処理と、前記画像形成装置本体をオンした場合、画像形成装置本体を待機状態へと移行させる電源オン処理と、所定時間単位の計時が行える時計手段と、ユーザにより設定された使用開始時刻を記憶する使用開始時刻記憶手段と前記使用開始時刻には前記画像形成装置が前記待機状態になるよう、前記電源オン処理に必要となる時間を鑑みて、前記画像形成装置の起動開始時刻を算出し、前記起動開始時刻と前記時計手段から読み出した時刻が合致した場合に前記画像形成装置をオン状態に移行させる自動電源オン手段とを備える画像形成装置において、前記起動開始時刻から前記使用開始時刻の間に、前記スイッチ状態検出手段により電源オフを検知した場合、前記電源オフ処理を実行せず、ユーザに警告を報知することを特徴とする。
【発明の効果】
【００１８】
以上、説明したように、
第一の発明によれば、ユーザが電源スイッチをOFFした時点で、電源オフ処理中にタイマーによる自動電源ONが実行されると判断した場合、電源オフせずに低消費電力状態で待機する制御を行う。本制御により、タイマーによる自動電源オンを設定したユーザに対して、電源オンできていない状況を回避する。また、電源オフ直後にはプリントされる可能性が少ないと考えられるのでプリント信号が来るまで低消費電力状態で待機することにより消費電力削減を図る。
【００１９】
第二の発明によれば、第一の発明に加え、オペレーションパネルを電源オフ時の表示状態とすることで、更なる消費電力の削減と共に、電源スイッチをオフしたユーザに対し「プリンタを電源オフできない」と誤認識させることを防止する。
【００２０】
第三の発明によれば、ユーザが電源スイッチをOFFした時点で、電源オフ処理中にタイマーによる自動電源ONが実行されると判断した場合、ユーザに警告を報知し「電源オフを実行するかどうか」を選択可能にする。本制御により、ユーザにより選択された結果に応じて最適な制御を行うことが可能になる。
【００２１】
第四の発明によれば、プリントジョブ中にユーザによって設定された自動電源オフが実行される場合、プリントジョブ終了後に低消費電力状態で待機する制御を行う。前述した制御によりプリントジョブ中に自動電源オフが実行されたとしても電源オフせずにプリント可能状態を維持する。この制御によりプリントジョブを実行したユーザが、再びプリントをしようとした場合において「プリントができない」という状況を回避する。さらに、低消費電力状態で待機することによりプリントジョブの発生が少ないと予想される「自動電源オフが実行されている時間帯」において消費電力の削減を実現する。
【００２２】
第五の発明によれば、第四の発明の制御に加え、ペレーションパネルの表示を電源オフ状態とすることで更なる消費電力の削減と、ユーザが「タイマーによる自動電源オフを実行できていない」と誤認識することを防止する。
【００２３】
第六の発明によれば、タイマーによる自動電源オフがプリントジョブ中に発生する場合、プリント直後に電源オフを実行せずに、規定した時間、待機状態を維持する制御を行う。この制御によりプリントジョブを実行したユーザが、引き続きプリントを実行しても、規定時間以内であれば画像形成可能となる。
【００２４】
第七の発明よれば、プリントジョブ中にユーザによって設定された自動電源オフが実行される場合、プリントジョブ終了後にユーザに「電源オフするかどうか」を選択可能にする。この制御により、ユーザにより選択された結果に応じて最適な制御を行うことが可能になる。
【００２５】
第八の発明によれば、ユーザが電源スイッチをOFFしたタイミングが、タイマーによる初期化開始時刻〜使用可能時刻までの間であった場合にユーザに警告を報知し「電源オフを実行するかどうか」を選択可能にする。前述した制御により、ユーザにより選択された結果に応じて最適な制御を行うことが可能になる。
【図面の簡単な説明】
【００２６】
【図１】本発明における回路構成を説明する図
【図２】実施例１にかかわるフローチャート
【図３】実施例2にかかわるフローチャート
【図４】実施例3にかかわるフローチャート
【図５】実施例4にかかわるフローチャート
【図６】実施例5にかかわるフローチャート
【図７】実施例6にかかわるフローチャート
【図８】レーザビームプリンタの構成図
【発明を実施するための形態】
【００２７】
［実施例１］
図8は本実施例の画像形成装置であるオプション装置付きのカラーレーザプリンタの構成図である。
【００２８】
４０１はカラーレーザプリンタ、４０２は記録紙３２を収納する給紙カセット、４０４は給紙カセット４０２から記録紙３２を繰り出すピックアップローラ、４０５は前記ピックアップローラ４０４によって繰り出された記録紙３２を搬送する給紙ローラ、４０６は前記給紙ローラ４０５と対をなし記録紙３２の重送を防止するためのリタードローラ、４０７はレジストローラ対である。
【００２９】
４０９は静電吸着搬送転写ベルト（以下ＥＴＢと記す）であり、記録紙３２を静電吸着させて搬送する。４１０はプロセスカートリッジであり、感光ドラム３０５、感光ドラム３０５上のトナーを除去するクリーニング手段３０６、帯電ローラ３０３と現像ローラ３０２、トナー格納容器４１１を備えており、カラーレーザプリンタ４０１に対し着脱可能となっている。
【００３０】
４２０はスキャナユニットであり、プリンタ制御CPU207から送出される各画像信号に基づいて変調されたレーザ光を発光するレーザユニット４２１、各レーザユニット４２１からのレーザ光を各感光ドラム３０５上に走査するためのポリゴンミラー４２２とスキャナモータ４２３、結像レンズ群４２４により構成されている。なお、前記プロセスカートリッジ４１０とスキャナユニット４２０は、４色（イエローＹ、マゼンタＭ、シアンＣ、ブラックＢ）分存在する。
【００３１】
４３１は定着器であり、内部に加熱用のヒータ４３２を備えた定着ローラ４３３と加圧ローラ４３４、定着ローラからの記録紙３２を搬送するための定着排紙ローラ対４３５により構成されている。
【００３２】
４５１、４５２、４５３はＤＣブラシレスモータであり、４５１はプロセスカートリッジ４１０を駆動するメインモータ、４５２はＥＴＢを駆動するＥＴＢモータ、４５３は定着器を駆動する定着モータである。
【００３３】
２０１はレーザプリンタ４０１の制御手段であるエンジンコントローラであり、プリンタ制御CPU２０７、及び各種入出力制御回路（不図示）等で構成されている。
【００３４】
２０２は電源回路であり、1次ＡＣ電流を平滑後に降圧し、各ＤＣブラシレスモータ４５１，４５２，４５３や、エンジンコントローラ２０１などに電力を供給する。
【００３５】
４４０は受信制御ICであり、パーソナルコンピュータ等のホストコンピュータ４４１から送出される画像データを受け取る。
【００３６】
６５１は異なる記録紙に対応するためのオプション給紙ユニットであり、記録紙３２を収納する給紙カセット６５２、給紙カセット６５２から記録紙３２を繰り出すピックアップローラ６５４とを有する。
【００３７】
８０１はカラーレーザプリンタ４０１から排出された記録紙を所定枚数毎に排紙トレイにソートするオプション排紙ユニットであり、搬送ローラ対８０４、８０５を駆動するモータ８０２と、排紙トレイ８０６を昇降動作させるモータ８０３とを有する。
【００３８】
７０１はカラーレーザプリンタ４０１から排出された記録紙をオプション排紙ユニット８０１に搬送するオプション搬送ユニットであり、搬送ローラ対７０３、７０４を駆動するモータ７０２を有する。
【００３９】
９０１は原稿搬送部９３０と原稿読み込み部９３１とからなるオプションイメージスキャナである。９０２は原稿９３２を搬送する原稿搬送モータ、９０４は露光ユニット、９０５は露光手段、９０６はミラー、９０３は露光ユニット９０４を水平移動させるスキャナ駆動モータ、９０７は反射装置、９０８、９０９はミラー、９１０は受光装置、９４０はオプションイメージスキャナ９０１の動作を制御するとともに、受光装置９１０で受光した信号を画像データ化するイメージスキャナコントローラユニットである。
【００４０】
次に画像形成動作を説明する。
【００４１】
まず、ホストコンピュータ４４１から受信制御IC４４０に画像データが送信される。画像受信したエンジンコントローラ２０１は、所定のタイミングでスキャナモータ４２３、及びメインモータ４５１，ＥＴＢモータ４５２，定着モータ４５３の駆動を開始するとともに、ピックアップローラ４０４、給紙ローラ４０５、リタードローラ４０６を駆動して給紙カセット４０２から記録紙３２を繰り出す。その後、坪量判別手段３２３で記録紙の厚みを判別し、記録紙に応じた画像形成速度及び画像形成条件を選択し、記録紙の判別結果により画像形成速度の変更が必要な場合はメインモータ４５１，ＥＴＢモータ４５２，定着モータ４５３の回転速度を変更する。また、温度検知センサ３２４で画像形成装置４０１の周囲温度を検知し、検知結果に応じて選択した画像形成条件の補正を行う。記録紙は、レジストローラ対４０７まで搬送して一旦停止する。次に、ビットマップデータに依存した画像信号に応じてレーザユニット４２１をＯＮ/ＯＦＦ制御し、ポリゴンミラー４２２、結像レンズ群４２４を介して帯電ローラ３０３により所定電位に帯電した感光ドラム３０５上に静電画像を形成する。その後、現像ローラ３０２でトナー像に現像する。上記、トナー像形成動作は所定のタイミングでイエローＹ、マゼンタＭ、シアンＣ，ブラックＫに対し行う。一方、レジストローラ対４０７で一旦停止していた記録紙３２を、上記トナー像形成動作に応じた所定のタイミングでＥＴＢ４０９に再給紙し、転写ローラ４３０で感光ドラム３０５上のトナー像を順次記録紙３２上に転写してカラー像を形成する。記録紙３２上に形成されたカラートナー像は定着器４３１に搬送され、所定温度に加熱された定着ローラ４３３と加圧ローラ４３４によって加熱、加圧され記録紙に定着されたのち、定着排紙ローラ対４３５により画像形成装置４０１外に排出される。
【００４２】
なお、電源オフ時においてはプリンタ制御CPU２０７の制御により離間機構（不図示）を用いて定着ローラ４３３と加圧ローラ４３４に加える圧力を減圧する。前述した離間制御により長期間未使用時における加圧ローラのゴム変形が生じるのを防止する。
【００４３】
また、電源オン時には離間機構（不図示）を解除することで定着ローラ４３３と加圧ローラ４３４を当接し、定着ローラ４３３と加圧ローラ４３４の間に規定の圧力を加える。
【００４４】
排出された記録紙３２は、オプション搬送ユニット７０１を経由してオプション排紙ユニット８０１に搬送される。オプション排紙ユニット８０１では、所定枚数毎に記録紙３２が排紙トレイ８０６に排出される。
【００４５】
次にオプションイメージスキャナの動作について説明する。原稿搬送部９３０に原稿９３２をセット後、コピーモードか、読み取りデータを電子ファイル化するだけのスキャナモードかをオペレーションパネルより選択する。
【００４６】
コピーモードを選択した場合、原稿搬送モータ９０２により所定のタイミングで原稿９３２を原稿読み込み部９３１に搬送する。そして、スキャナ駆動モータ９０３により露光ユニット９０４を水平移動させ露光手段９０５の光を原稿９３２に照射する。原稿からの反射光はミラー９０６、及び反射手段９０７内のミラー９０８、９０９を経由して受光装置９１０で受光され、受光信号はイメージスキャナコントローラユニット９４０に送信される。イメージスキャナコントローラユニット９４０は受信した信号を画像データ化し、エンジンコントローラ201に送信する。その後は、ホストコンピュータ４４１からの画像形成と同様の動作で画像形成を行う。
【００４７】
一方、スキャナモードを選択した場合、イメージスキャナコントローラユニット９４０は受信した信号を所定のファイル形式で電子ファイル化し、受信制御IC４４０経由でホストコンピュータ４４１に送信する。
【００４８】
なお、通常、オプションイメージスキャナの動作は、カラーレーザプリンタ７０１の画像形成動作とは独立に動作する。
【００４９】
図1は本実施例における画像形成装置をより詳しく説明する図である。
【００５０】
２０２は電源、５０３はスイッチ、２０１はエンジンコントローラ、４４１はホストコンピュータ、５０１はオペレーションパネルである。また、２０４は交流電源から3.3Vを生成する3.3V電源回路、２０５は交流電源から24Vを生成しＤＣブラシレスモータ４５１等の駆動系負荷に電力を供給する24V電源回路である。なお、２４V電源回路２０５はプリンタ制御CPU２０７によりON/OFF制御される。
【００５１】
メインスイッチ５０３がＯＮされると、MOSFET２０９のゲートがダイオード２１０を介してほぼ０．６Vに引き下げられる。するとMOSFET２０９がオンし、プリンタ制御CPU２０７およびホストコンピュータ４４１との画像データの送受信を司る受信制御IC４４０、オペレーションパネル２１５を制御するパネル制御IC２１６が起動する。受信制御IC４４０は起動後ホストコンピュータ441に対し、プリンタが起動したことを通知する。また、パネル制御IC２１６は通信ポートP8を使用してプリンタ制御CPU２０７と通信を行いオペレーションパネル２１５上に配されたバックライト（不図示）の点灯、表示部にプリンタを初期化中であることを表示する。
【００５２】
プリンタ制御CPU２０７は起動後、P１をLowレベルに設定することでダイオード２１１を介しMOSFET２０９のオン状態を維持する。さらにP3をHighにすることで２４V電源回路をONさせる。その後、プリンタ制御CPU２０７は画像形成装置の初期化処理を行う。初期化処理の具体的項目としては給排紙オプションの使用有無の検知、給排紙オプションの使用有無初期化制御、各センサの出力状態の確認、定着ローラ４３３と加圧ローラ４３４の離間解除、定着器４３１のウォームアップ、ＤＣブラシレスモータ４５１等の起動確認、画像補正処理等を行う。画像補正処理は例えば、起動時にＥＴＢ409に転写された各色の画像の位置ズレおよび濃度を補正する。
【００５３】
ユーザによる電源オフはプリンタ制御CPU２０７のP2の状態変化によって検出する。メインスイッチ５０３はノンロックタイプのプッシュスイッチを使用しており、ユーザがスイッチボタンを離した状態では抵抗２０８によって３．３Vにプルアップされている。そのため、プリンタ制御CPU２０７のP2端子には通常状態ではHighが入力されている。ユーザによりスイッチ503が押された場合、プリンタ制御CPU２０７のP2端子はLowレベルへの遷移する。プリンタ制御CPU２０７はこのHighからLowへの状態遷移を検知することで、ユーザによるスイッチオフを検出する。
【００５４】
スイッチオフされたことをプリンタ制御CPU２０７が検知した場合、電源オフ処理を行う。電源オフ処理の具体的項目としては以下の項目が挙げられる。
【００５５】
電源オフされたことをオペレーションパネル２１５に表示する。
不揮発性メモリ（不図示）へ制御パラメータ等を退避する。
定着ローラ４３３と加圧ローラ４３４の離間を行う。
P3をLowにし24V電源回路をオフする。
【００５６】
上記の電源オフ処理が終了した時点でプリンタ制御CPU２０７はP1をHighに設定することでMOSFET２０９をOFFさせ、プリンタ制御CPU２０７および受信制御IC４４０、パネル制御IC２１６への給電を遮断し電源OFF状態となる。
【００５７】
本実施例におけるプリンタにはユーザにより設定された時刻に自動で電源オンを実行するタイマー機能が備わっている。タイマー機能は現在時刻を計時する時計機能を有するタイマー制御IC２１３によって実行される。オペレーションパネル２１５から入力された設定時刻はプリンタ制御CPU２０７によりタイマー制御IC２１３に通信ポートP5を用いて通知される。タイマー制御IC２１３は通知された設定時刻をタイマー制御IC２１３内部の不揮発性メモリに格納し、格納された設定時刻と現在時刻とを定期的に比較する。タイマー制御IC２１３が現在時刻と設定時刻が合致したと判断した場合、P7端子をLowに設定することでMOSFET２０９のゲートを、ダイオード２１２を介して約0.6Vまで引き下げる。するとMOSFET２０９がONしプリンタ制御CPU２０７および受信制御IC４４０、パネル制御IC２１６へ3.3V電源回路２０４から給電が行われ電源ON状態へと移行する。
【００５８】
本実施例においてはユーザによりスイッチオフされたことをプリンタ制御CPU２０７が検知した時点で、電源オフ処理実行中に、タイマーによる電源自動オンが実行されるかどうかを判断する。その結果、電源オフ処理実行中にタイマーによる電源自動オンが実行されると判断した場合、オペレーションパネルの表示をオフ状態にし、かつ、画像形成装置を低消費電力モードで電源オンしつづける制御を行う。
【００５９】
以下に図2のフローチャートを使用して本実施例におけるスイッチOFF時のプリンタ制御CPUの制御について説明を加える。
【００６０】
まず、ステップ４００１によりプリンタ制御CPU２０７のP2がHighからLowに遷移したかどうかを判断する。P2がHighからLowに遷移したと判断した場合（ステップ４００１：Yes）、ユーザにより電源オフが実行されたと判断し、ステップ4001以降の電源オフ処理を実行する。またステップ4001でP2がHighからLowに遷移していない判断した場合（ステップ４００１：No）、ユーザにより電源オフされていないと判断し、再度P2の状態をモニタしつづける。
【００６１】
ステップ４００１でYesと判断した場合、ステップ４００２で電源オフ処理に必要な時間（T1）をプリンタ制御CPU２０７内部のメモリから読み出す。次にユーザにより設定されたタイマー制御IC２１３による自動電源オンの実行時刻（T2）をタイマー制御IC２１３内部の不揮発性メモリからタイマー制御IC２１３との通信により取得する（ステップ４００３）。続いてステップ４００４で現在時刻（T3）をタイマー制御IC２１３から取得し、ステップ４００５で現在時刻（T3）に電源オフ処理に必要とされる時間（T1）を足し合わせることで、実際にプリンタが電源オフされる時刻（T4）を算出する。
【００６２】
ステップ４００６では現在時刻（T3）から電源オフ実行時刻（T4）の間にタイマーによる自動電源ON時刻（T2）が含まれているかを判断する。自動電源ON時刻（T2）が現在時刻（T3）から電源オフ実行時刻（T4）の間に含まれていた場合（ステップ４００６：Yes）、ステップ４００７以降の処理を行い、逆に自動電源ON時刻（T2）が現在時刻（T3）から電源オフ実行時刻（T4）の間に含まれていない場合（ステップ４００６：No）、ステップ４０１２以降の処理を行う。
【００６３】
例えば、電源オフ処理に必要な時間（T1）が5分に設定されており、ユーザによる電源スイッチオフされた時刻（T3）が6：58分であった場合、実際に電源オフされる時刻（T4）はT1+T3で算出され7：03分となる。それに対し、タイマーによる電源ONの設定時刻（T2）が7：00分に設定されていたとすると、電源オフ処理を実行している間（6：58分から7：03分の間）にタイマーによる自動電源ON（7：00分）が実行されると判断できる。
【００６４】
そのような場合、本実施例においてはステップ４０１２以降を実行することで、電源オフせずに低消費電力状態で待機する制御を行う。具体的な処理は以下の通りである。
【００６５】
ステップ４０１２：オペレーションパネル２１５に電源オフ処理中であることを表示する。
【００６６】
ステップ４０１３：定着ローラ４３３と加圧ローラ４３４を離間制御する。
【００６７】
ステップ４０１４：画像形成装置の制御パラメータをプリンタ制御CPU２０７内部の不揮発性メモリに退避させる。
【００６８】
ステップ４０１５：プリンタ制御CPU２０７のP3をLowにすることで２４V電源回路２０５をオフする。
【００６９】
ステップ４０１６：オペレーションパネル２１５のバックライトをOFF、表示部への表示をOFFする。
【００７０】
またタイマーによる電源ONの設定時間（T2）が8：00に設定されていた場合においては、電源オフ処理を実行している間（6：58分から7：03分の間）にタイマーによる自動電源ON（8：00分）が実行されないと判断できる。
【００７１】
そのような場合、本実施例においてはステップ４００７以降を実行することで、通常の電源オフ処理を行う。具体的な処理は以下の通りである。
【００７２】
ステップ４００７：オペレーションパネル２１５に電源オフ処理中であることを表示する。
【００７３】
ステップ４００８：定着ローラ４３３と加圧ローラ４３４を離間制御する。
【００７４】
ステップ４００９：画像形成装置の制御パラメータをプリンタ制御CPU２０７内部の不揮発性メモリに退避させる。
【００７５】
ステップ４０１０：プリンタ制御CPU２０７のP3をLowにすることで２４V電源回路２０５をオフする。
【００７６】
ステップ４０１１：プリンタ制御CPU２０７のP１をHighに維持し、MOSFET２０９をオフすることで電源オフを実行する。
【００７７】
以上、本実施例においてはユーザが電源スイッチをOFFした時点で、電源オフ処理中にタイマーによる自動電源ONが実行されると判断した場合、電源オフせずに低消費電力状態で待機する制御を行う。前述した制御により、タイマーによる自動電源オンを設定したユーザに対して、電源オンできていない状況を回避する。また、電源オフ直後にはプリントされる可能性が少ないと考えられるのでプリント信号が来るまで低消費電力状態で待機することにより消費電力削減を図る。
【００７８】
また、オペレーションパネルを電源オフ時の表示状態とすることで、さらなる消費電力の削減を実現すると共に電源スイッチをオフしたユーザに対し「プリンタを電源オフできない」と誤認識させることを防止する。
【００７９】
［実施例２］
本実施例においてはユーザが電源スイッチをOFFした時点で、電源オフ処理中にタイマーによる自動電源ONが実行されると判断した場合、ユーザに警告を報知し「電源オフを実行するかどうか」を選択可能にする。なお、本実施例における要部構成は実施例1と同じであるため、説明は省略する。
【００８０】
以下、図3に示すフローチャートを使用して本実施例におけるスイッチOFF時のプリンタ制御CPUの制御について説明を加える。
【００８１】
まず、ステップ５００１によりプリンタ制御CPU２０７のP2がHighからLowに遷移したかどうかを判断する。P2がHighからLowに遷移したと判断した場合（ステップ５００１：Yes）、ユーザにより電源オフが実行されたと判断し、ステップ5002以降の電源オフ処理を実行する。またステップ5001でP2がHighからLowに遷移していない判断した場合（ステップ５００１：No）、ユーザにより電源オフされていないと判断し、再度P2の状態をモニタしつづける。
【００８２】
ステップ５００１でYesと判断した場合、ステップ５００２で電源オフ処理に必要な時間（T1）をプリンタ制御CPU２０７内部のメモリから読み出す。次にユーザにより設定されたタイマー制御IC２１３による自動電源オンの実行時刻（T2）をタイマー制御IC２１３内部の不揮発性メモリからタイマー制御IC２１３との通信により取得する（ステップ５００３）。続いてステップ５００４で現在時刻（T3）をタイマー制御IC２１３から取得し、ステップ５００５で現在時刻（T3）に電源オフ処理に必要とされる時間（T1）を足し合わせることで、実際にプリンタが電源オフされる時刻（T4）を算出する。
【００８３】
ステップ５００６では現在時刻（T3）から電源オフ実行時刻（T4）の間にタイマーによる自動電源ON時刻（T2）が含まれているかを判断する。自動電源ON時刻（T2）が現在時刻（T3）から電源オフ実行時刻（T4）の間に含まれていた場合（ステップ５００６：Yes）、ステップ５００７以降の処理を行い、逆に自動電源ON時刻（T2）が現在時刻（T3）から電源オフ実行時刻（T4）の間に含まれていない場合（ステップ５００６：No）、ステップ５０１２以降の処理を行う。
【００８４】
例えば、電源オフ処理に必要な時間（T1）が5分に設定されており、ユーザによる電源スイッチオフされた時刻（T3）が6：58分であった場合、実際に電源オフされる時刻（T4）はT1+T3で算出され7：03分となる。それに対し、タイマーによる電源ONの設定時刻（T2）が7：00分に設定されていたとすると、電源オフ処理を実行している間（6：58分から7：03分の間）にタイマーによる自動電源ON（7：00分）が実行されると判断できる。
【００８５】
そのような場合、本実施例においてはステップ５０１２を実行することで、ユーザに対し「電源オフを継続して実行するかどうか」を通知する制御を行う。その後、ユーザが電源オフを継続することを選択した場合（ステップ５０１３：Yes）、ステップ５００７以降の電源オフ処理を実行する。ステップ５０１３でユーザが電源オフを実行しないことを選択した場合（ステップ５０１３：No）、電源オフ処理を実行せず、電源オフ制御を終了させる。
【００８６】
またタイマーによる電源ONの設定時間（T2）が8：00に設定されていた場合においては、電源オフ処理を実行している間（6：58分から7：03分の間）にタイマーによる自動電源ON（8：00分）が実行されないと判断できる。
【００８７】
そのような場合、本実施例においてはステップ５００７以降を実行することで、電源オフ処理を行う。具体的な処理は以下の通りである。
【００８８】
テップ５００７：オペレーションパネル２１５に電源オフ処理中であることを表示する。
【００８９】
ステップ５００８：定着ローラ４３３と加圧ローラ４３４を離間制御する。
【００９０】
ステップ５００９：画像形成装置の制御パラメータをプリンタ制御CPU２０７内部の不揮発性メモリに退避させる。
【００９１】
ステップ５０１０：プリンタ制御CPU２０７のP3をLowにすることで２４V電源回路２０５をオフする。
【００９２】
ステップ５０１１：プリンタ制御CPU２０７のP１をHighに維持し、MOSFET２０９をオフすることで電源オフを実行する。
【００９３】
以上、本実施例においてはユーザが電源スイッチをOFFした時点で、電源オフ処理中にタイマーによる自動電源ONが実行されると判断した場合、ユーザに警告を報知し「電源オフを実行するかどうか」を選択可能にする。前述した制御により、ユーザにより選択された結果に応じて最適な制御を行うことが可能になる。
【００９４】
［実施例３］
本実施例においては画像形成装置がプリント中であるタイミングにおいて、ユーザにより設定されたタイマーによる自動OFFが実施されることを検知した場合、プリント終了後から低消費電力状態で待機する制御を行う。なお、本実施例における要部構成は実施例1と同じであるため、説明は省略する。
【００９５】
以下、図4に示すフローチャートを使用して本実施例におけるプリント時におけるプリンタ制御CPU２０７の制御について説明を加える。
【００９６】
まず、ステップ６００１で受信制御IC４４０がホストコンピュータ４４１から画像データを受け取ったかどうか判断する。受信制御IC４４０が画像データを受け取ったと判断した場合（ステップ６００１：Yes）、ステップ６００２からの画像形成処理を行う。ステップ６００１で画像データを受け取っていないと判断した場合、受信制御IC４４０からの画像データを待機し続ける。
【００９７】
ステップ６００１でYesと判断した場合、ステップ６００２でプリントを開始するプリント開始時刻（T5）をタイマー制御IC２１３から取得しメモリに格納する。次にステップ６００３でホストコンピュータ４４１から受け取った画像データにしたがって画像形成処理を行う。画像形成処理が終了したらステップ６００４でプリントジョブが終了した時刻（プリント終了時刻：T６）をタイマー制御IC２１３から取得しメモリに格納する。続いてステップ６００５でユーザにより設定されたタイマーによる自動電源オフの時刻（タイマーオフ時刻：T7）をタイマー制御IC２１３から取得する。
【００９８】
ステップ６００６ではプリント開始時刻時刻（T６）からプリント終了時刻（T７）までの間にタイマーオフ時刻（T７）を経過するかどうかを判断する。ステップ６００６でプリント開始時刻時刻（T６）からプリント終了時刻（T７）までの間にタイマーオフ時刻（T７）を経過すると判断した場合、ステップ６００７以降の制御を行いプリント終了後に低消費電力状態で待機する制御を行う。逆にステップ６００６でプリント開始時刻時刻（T６）からプリント終了時刻（T７）までの間にタイマーオフ時刻（T７）を経過しないと判断した場合、（ステップ６００６：No）、画像形成処理を終了させる。
【００９９】
例えば、プリントを開始されたプリント開始時刻（T６）が6：58分であり、プリントジョブを終了させた時刻（T７）が7：03分であった場合、タイマーによる電源オフの設定時刻（T８）が7：00分に設定されていたとすると、画像形成処理を実行している間（6：58分から7：03分の間）にタイマーによる自動電源オフ（7：00分）が実行されたと判断できる。
【０１００】
そのような場合、本実施例においてはステップ６００７以降を実行することで、プリントジョブ終了後に低消費電力状態で待機する制御を行う。具体的な制御は以下のとおりである。
【０１０１】
ステップ６００７：オペレーションパネル２１５に電源オフ処理中であることを表示する。
【０１０２】
ステップ６００８：定着ローラ４３３と加圧ローラ４３４を離間制御する。
【０１０３】
ステップ６００９：画像形成装置の制御パラメータをプリンタ制御CPU２０７内部の不揮発性メモリに退避させる。
【０１０４】
ステップ６０１０：プリンタ制御CPU２０７のP3をLowにすることで２４V電源回路２０５をオフする。
【０１０５】
ステップ６０１１：オペレーションパネル２１５のバックライトをOFF、表示部への表示をOFFする。
【０１０６】
またタイマーによる電源オフの設定時間（T6）が8：00に設定されていた場合においては、プリントジョブを実行している間（6：58分から7：03分の間）にタイマーによる自動電源オフ（8：00分）が実行されないと判断できる。
【０１０７】
そのような場合、本実施例においては画像形成処理を終了させ待機状態へと移行する。
【０１０８】
以上、本実施例においてはプリントジョブ中にユーザによって設定された自動電源オフが実行される場合、プリントジョブ終了後に低消費電力状態で待機する制御を行う。前述した制御によりプリントジョブ中に自動電源オフが実行されたとしても電源オフせずにプリント可能状態を維持する。この制御によりプリントジョブを実行したユーザが、再びプリントをしようとした場合において「プリントができない」という状況を回避する。さらに、低消費電力状態で待機することによりプリントジョブの発生が少ないと予想される「自動電源オフが実行されている時間帯」において消費電力の削減を実現する。
【０１０９】
また、オペレーションパネルの表示を電源オフ状態とすることで更なる消費電力の削減と、ユーザが「タイマーによる自動電源オフを実行できていない」とご認識させることを防止する。
【０１１０】
［実施例４］
本実施例においては画像形成装置がプリント中であるタイミングにおいて、ユーザにより設定されたタイマーによる自動OFFが実施されることを検知した場合、プリント終了後から規定時間の間にホストコンピュータから画像信号が送付されない場合にのみ電源オフを実行する制御を行う。
【０１１１】
以下、図5に示すフローチャートを使用して本実施例におけるプリント時におけるプリンタ制御CPU２０７の制御について説明を加える。
【０１１２】
まず、ステップ９００１で受信制御IC４４０がホストコンピュータ４４１から画像データを受け取ったかどうか判断する。受信制御IC４４０が画像データを受け取ったと判断した場合（ステップ９００１：Yes）、ステップ９００２からの画像形成処理を行う。ステップ９００１で画像データを受け取っていないと判断した場合、受信制御IC４４０からの画像データを待機し続ける。
【０１１３】
ステップ９００１でYesと判断した場合、ステップ９００２でプリントを開始するプリント開始時刻（T5）をタイマー制御IC２１３から取得しメモリに格納する。次にステップ９００３でホストコンピュータ４４１から受け取った画像データにしたがって画像形成処理を行う。画像形成処理が終了したらステップ９００４でプリントジョブが終了した時刻（プリント終了時刻：T６）をタイマー制御IC２１３から取得しメモリに格納する。続いてステップ９００５でユーザにより設定されたタイマーによる自動電源オフの時刻（タイマーオフ時刻：T7）をタイマー制御IC２１３から取得する。
【０１１４】
ステップ９００６ではプリント開始時刻時刻（T６）からプリント終了時刻（T７）までの間にタイマーオフ時刻（T７）を経過するかどうかを判断する。ステップ９００６でプリント開始時刻時刻（T６）からプリント終了時刻（T７）までの間にタイマーオフ時刻（T７）を経過すると判断した場合、ステップ９００７以降の制御を行いプリント終了後に電源オフを実行せずに規定時間、画像信号を待機し続ける制御を行う。逆にステップ９００６でプリント開始時刻時刻（T６）からプリント終了時刻（T７）までの間にタイマーオフ時刻（T７）を経過しないと判断した場合、（ステップ９００６：No）、画像形成処理を終了させる。
【０１１５】
例えば、プリントを開始されたプリント開始時刻（T６）が6：58分であり、プリントジョブを終了させた時刻（T７）が7：03分であった場合、タイマーによる電源オフの設定時刻（T８）が7：00分に設定されていたとすると、画像形成処理を実行している間（6：58分から7：03分の間）にタイマーによる自動電源オフ（7：00分）が実行されたと判断できる。
【０１１６】
そのような場合、本実施例においてはステップ９００７以降を実行することで、規定した時間の間、電源オフを実行せずに待機する制御を行う。ステップ９００6で、画像形成処理を実行している間（6：58分から7：03分の間）にタイマーによる自動電源オフ（7：00分）が実行したと判断した場合、ステップ９００７でプリント終了時刻から規定時間の間、受信制御IC４４０がホストコンピュータ４４１から画像信号を受信したかどうかを検知し続ける。ステップ受信制御IC４４０がホストコンピュータから画像信号を受信したと判断した場合（ステップ９００７：No）、ステップ9003に戻り、画像形成処理を行う。
【０１１７】
ステップ9007で規定時間ホストコンピュータから画像信号が送信されなかったと判断した場合（ステップ９００７：Yes）、ステップ９００８以降の制御を行い画像形成装置の電源をオフにする。
【０１１８】
具体的な制御は以下のとおりである。
【０１１９】
ステップ９００８：オペレーションパネル２１５に電源オフ処理中であることを表示する。
【０１２０】
ステップ９００９：定着ローラ４３３と加圧ローラ４３４を離間制御する。
【０１２１】
ステップ９０１０：画像形成装置の制御パラメータをプリンタ制御CPU２０７内部の不揮発性メモリに退避させる。
【０１２２】
ステップ９０１１：プリンタ制御CPU２０７のP3をLowにすることで２４V電源回路２０５をオフする。
【０１２３】
ステップ９０１２：プリンタ制御CPU２０７のP１をHighに維持し、MOSFET２０９をオフすることで電源オフを実行する。
【０１２４】
またタイマーによる電源オフの設定時間（T6）が8：00に設定されていた場合においては、プリントジョブを実行している間（6：58分から7：03分の間）にタイマーによる自動電源オフ（8：00）が実行されないと判断できる。そのような場合、本実施例においては画像形成処理を終了させ待機状態へと移行する。
【０１２５】
以上、本実施例においてはタイマーによる自動電源オフがプリントジョブ中に発生する場合、プリント直後に電源オフを実行せずに、規定した時間、待機状態を維持する制御を行う。この制御によりプリントジョブを実行したユーザが、引き続きプリントを実行しても、規定時間以内であれば画像形成可能となる。
【０１２６】
［実施例５］
本実施例においては画像形成装置がプリント中であるタイミングにおいて、ユーザにより設定されたタイマーによる自動OFFが実施されることを検知した場合、ユーザに対し警告を報知し「電源オフするかどうか」を選択可能にする制御を行う。
【０１２７】
以下、図6に示すフローチャートを使用して本実施例におけるプリント時におけるプリンタ制御CPU２０７の制御について説明を加える。
【０１２８】
まず、ステップ７００１で受信制御IC４４０がホストコンピュータ４４１から画像データを受け取ったかどうか判断する。受信制御IC４４０が画像データを受け取ったと判断した場合（ステップ７００１：Yes）、ステップ７００２からの画像形成処理を行う。ステップ７００１で画像データを受け取っていないと判断した場合、受信制御IC４４０からの画像データを待機し続ける。
【０１２９】
ステップ７００１でYesと判断した場合、ステップ７００２でプリントを開始するプリント開始時刻（T5）をタイマー制御IC２１３から取得しメモリに格納する。次にステップ７００３でホストコンピュータ４４１から受け取った画像データにしたがって画像形成処理を行う。画像形成処理が終了したらステップ７００４でプリントジョブが終了した時刻（プリント終了時刻：T６）をタイマー制御IC２１３から取得しメモリに格納する。続いてステップ７００５でユーザにより設定されたタイマーによる自動電源オフの時刻（タイマーオフ時刻：T7）をタイマー制御IC２１３から取得する。
【０１３０】
ステップ７００６ではプリント開始時刻時刻（T６）からプリント終了時刻（T７）までの間にタイマーオフ時刻（T７）を経過するかどうかを判断する。ステップ７００６でプリント開始時刻時刻（T６）からプリント終了時刻（T７）までの間にタイマーオフ時刻（T７）を経過すると判断した場合、ステップ７００７以降の制御を行いプリント終了後に低消費電力状態で待機する制御を行う。逆にステップ７００６でプリント開始時刻時刻（T６）からプリント終了時刻（T７）までの間にタイマーオフ時刻（T７）を経過しないと判断した場合、（ステップ７００６：No）、画像形成処理を終了させる。
【０１３１】
例えば、プリントを開始されたプリント開始時刻（T６）が6：58分であり、プリントジョブを終了させた時刻（T７）が7：03分であった場合、タイマーによる電源オフの設定時刻（T８）が7：00分に設定されていたとすると、画像形成処理を実行している間（6：58分から7：03分の間）にタイマーによる自動電源オフ（7：00分）が実行されたと判断できる。
【０１３２】
そのような場合、本実施例においてはステップ７００７以降を実行することで、ユーザにタイマーによる自動電源オフを実行するかどうか報知する。ステップ７００6で、画像形成処理を実行している間（6：58分から7：03分の間）にタイマーによる自動電源オフ（7：00分）が実行したと判断した場合、ステップ７００７でユーザに対しオペレーションパネル２１５に「タイマーによる電源オフ処理を実行するかどうか」を表示する。次にステップ７００８でユーザが電源オフを選択したかどうかを判断する。ユーザが電源オフを選択しなかった場合（ステップ７００７：No）、そのまま画像形成処理を終了し待機する。また、ステップ７００８でユーザが電源オフを選択した場合（ステップ７００７：Yes）、ステップ７００９以降の処理を行い画像形成装置の電源をオフさせる。
【０１３３】
具体的な制御は以下のとおりである。
【０１３４】
ステップ７００９：オペレーションパネル２１５に電源オフ処理中であることを表示する。
【０１３５】
ステップ７０１０：定着ローラ４３３と加圧ローラ４３４を離間制御する。
【０１３６】
ステップ７０１１：画像形成装置の制御パラメータをプリンタ制御CPU２０７内部の不揮発性メモリに退避させる。
【０１３７】
ステップ７０１２：プリンタ制御CPU２０７のP3をLowにすることで２４V電源回路２０５をオフする。
【０１３８】
ステップ７０１３：プリンタ制御CPU２０７のP１をHighに維持し、MOSFET２０９をオフすることで電源オフを実行する。
【０１３９】
またタイマーによる電源オフの設定時間（T6）が8：00に設定されていた場合においては、プリントジョブを実行している間（6：58分から7：03分の間）にタイマーによる自動電源オフ（8：00分）が実行されないと判断できる。そのような場合、本実施例においては画像形成処理を終了させ待機状態へと移行する。
【０１４０】
以上、本実施例においてはプリントジョブ中にユーザによって設定された自動電源オフが実行される場合、プリントジョブ終了後にユーザに「電源オフするかどうか」を選択可能にする。この制御により、ユーザにより選択された結果に応じて最適な制御を行うことが可能になる。
【０１４１】
［実施例６］
本実施例においてはユーザによって設定された時刻にはプリントができるように、プリンタの初期化処理に必要とする時間をタイマー設定時刻より前倒して起動させておく制御を有するプリンタに関するものである。具体的には「前倒し起動時刻〜ユーザ設定時刻」までの間にユーザにより電源オフされた場合、ユーザに対し警告を報知し「電源オフするかどうか」を選択可能にする制御を行う。
【０１４２】
「ユーザによって設定された時刻より初期化処理に必要な時間を前倒して起動するプリンタ」とは、例えば、ユーザがタイマーによる自動電源オンを7：00に設定していたとする。プリンタの初期化処理に10分必要だとすると、プリンタは6：50から自動電源オンを実行し、7：00にはプリントができる状態となっている。この制御によりユーザが設定した時刻には確実にプリントができるため、ユーザにとっての利便性向上が実現できる。
【０１４３】
以下に図7に示すフローチャートを使用して本実施例における電源オフ時におけるプリンタ制御CPU２０７の制御について説明を加える。
【０１４４】
まず、ステップ8001によりプリンタ制御CPU２０７のP2ポートがHighからLowに遷移したかどうかを判断する。P2ポートがHighからLowに遷移したと判断した場合（ステップ8001：Yes）、ユーザにより電源オフが実行されたと判断し、ステップ8002以降の電源オフ処理を実行する。またステップでP2ポートがHighからLowに遷移していない判断した場合（ステップ8001：No）、ユーザにより電源オフされていないと判断し、再度P2ポートの状態をモニタしつづける。
【０１４５】
ステップ8001でYesと判断した場合、ステップ8002で初期化時間を設定時刻から前倒して電源オンする時刻（T9）をプリンタ制御CPU207内部のメモリから読み出す。次にユーザにより設定されたプリンタが使用可能となる時刻（T10）を不揮発性メモリから読み出す（ステップ8003）。続いてステップ8004で現在時刻（T11）をタイマー制御IC２１３から取得する。
【０１４６】
ステップ8005では初期化開始時刻（T9）からユーザにより設定された使用可能時刻（T10）の間に現在時刻（T11）が含まれているかどうかを判断する。現在時刻（T11）がT9〜T10の間に含まれている場合（ステップ8005：Yes）、ステップ8011以降の処理を行い、逆に現在時刻（T11）がT9〜T10の間に含まれていない場合（ステップ8005：No）、ステップ8006以降の処理を行う。
【０１４７】
例えば、前倒して電源オンする初期化開始時刻（T9）が6：58分であり、ユーザにより設定された使用可能時刻（T10）が7：03分であった場合、ユーザによる電源オフの時刻（T11）が7：00分であったとすると、初期化開始時刻〜使用可能時刻までの間（6：58分から7：03分の間）にユーザによる電源オフ（7：00分）が実行されたと判断できる。
【０１４８】
そのような場合、本実施例においてはステップ8011でオペレーションパネル215に電源オフを実行するかどうかを表示させる。その後、ステップ8012でユーザが電源オフを選択したかどうかを判断する。ステップ8012でユーザが電源オフを選択した場合、以下の処理を行い画像形成装置の電源をオフさせる。
【０１４９】
ステップ8006：オペレーションパネル２１５に電源オフ処理中であることを表示する。
【０１５０】
ステップ8007：定着ローラ４３３と加圧ローラ４３４を離間制御する。
【０１５１】
ステップ8008：画像形成装置の制御パラメータをプリンタ制御CPU２０７内部の不揮発性メモリに退避させる。
【０１５２】
ステップ8009：プリンタ制御CPU２０７のP3をLowにすることで２４V電源回路２０５をオフする。
【０１５３】
ステップ8010：プリンタ制御CPU２０７のP１をHighに維持し、MOSFET２０９をオフすることで電源オフを実行する。
【０１５４】
また、ステップ8012でユーザが電源オフを選択しなかった場合、そのまま処理を終了させ画像形成装置を待機させる。
【０１５５】
ユーザによる電源オフの時刻（T11）が8：00に設定されていた場合においては、初期化開始時刻〜使用可能時刻までの間（6：58分から7：03分の間）にユーザによる電源オフ（8：00分）が実行されないと判断できる。
【０１５６】
そのような場合、本実施例においてはステップ8006以降を実行することで、通常の電源オフ処理を行う。
【０１５７】
以上、本実施例においてはユーザが電源スイッチをOFFしたタイミングが、タイマーによる初期化開始時刻〜使用可能時刻までの間であった場合にユーザに警告を報知し「電源オフを実行するかどうか」を選択可能にする。前述した制御により、ユーザにより選択された結果に応じて最適な制御を行うことが可能になる。
【符号の説明】
【０１５８】
４０１：カラーレーザプリンタ、４０２：給紙カセット、４０４：ピックアップローラ、４０５：給紙ローラ、４０６：リタードローラ、４０７：レジストローラ対、４０９：静電吸着搬送転写ベルト、４１０：プロセスカートリッジ、３０５：感光ドラム、３０６：クリーニング手段、３０３：帯電ローラ、３０４：現像ローラ、４１１：トナー格納容器、４２０：スキャナユニット、４２１：レーザユニット、４２２：ポリゴンミラー、４２３：スキャナモータ、４２４：結像レンズ群、４３１：定着器、４３２：加熱用のヒータ、４３３：定着ローラ、４３４：加圧ローラ、４３５：定着排紙ローラ対、４５１、４５２、４５３：ＤＣブラシレスモータ、２０１：エンジン制御基板、２０２：マイクロコンピュータ、２０２：電源回路、４４１：ホストコンピュータ、３２３：坪量判別手段、３２４：周囲温度検知センサ：５０１：インレット、５０２：ＡＣフィルタ、５０３：メインスイッチ、５０４：ダイオードブリッジ、５０５：２４Ｖを生成するコンバータ、５０６：コンバータ制御回路、５０７：ダイオード、５０８：コンデンサ、５０９：定電圧制御回路、５１０：フォトカプラ、５１１：２４Ｖから３Ｖを生成するＤＣ/ＤＣコンバータ、５１２：カレントトランス、５１３：抵抗、５１４：電流検知回路、５１５：ゼロクロス検知回路、５２１：インタロックスイッチ、５２２：リレー、５２３：トライアック、５２４，５２５、５２７：抵抗、５２６：フォトトライアックカプラ、５２８：トランジスタ、５２９：サーモスイッチ、５３０：サーミスタ、５３１：抵抗、５６１：光照射手段、５６３：透過光量検出手段、５８１：コンデンサ、６０１：カレントトランス、６０２：抵抗、６５１：オプション給紙ユニット：６５２：給紙カセット、６５４：ピックアップローラ、８０１：オプション排紙ユニット、８０２、８０３：モータ、８０４、８０５：搬送ローラ対、７０１：オプション搬送ユニット、７０２：モータ、７０３、７０４：搬送ローラ対、９０１：オプションイメージスキャナ、９３０：原稿搬送部、９３１：原稿読み込み部９３１、９０２：モータ、９０４：露光ユニット、９０５：露光手段、９０６：ミラー、９０３：モータ、９０７：反射装置、９０８、９０９：ミラー、９１０：受光装置、９４０：イメージスキャナコントローラユニット
【図１】
2012139978.tif 000003
【図２】
2012139978.tif 000004
【図３】
2012139978.tif 000005
【図４】
2012139978.tif 000006
【図５】
2012139978.tif 000007
【図６】
2012139978.tif 000008
【図７】
2012139978.tif 000009
【図８】
2012139978.tif 000010